(57)【特許請求の範囲】
【請求項１】
電線等の細長い部材の側面を巻回して保持するバンドと、該バンドを巻回した状態に保つバックル部とを備え、バンドには長手方向に多数のラチェット爪が間隔をおいて形成されており、前記バックル部には、バンドの前記ラチェット爪に係合してバンドを巻回した状態に保つ係止爪が設けられている、プラスチック製の電線等の留め具において、
前記バックル部の係止爪は、前記バンドの長手方向に沿って少なくとも２つ形成されており、該少なくとも２つの係止爪は、バンドのラチェット爪の間隔より小さい間隔に配置されて一方の係止爪が１つのラチェット爪に係合すると他方の係止爪は隣接のラチェット爪との間に隙間が形成され、前記少なくとも２つの係止爪の間隔は、前記バンドに強い引抜き力が加わると、前記一方の係止爪に係合した１つのラチェット爪が当該係止爪を引っ張って当該バックル部分を延ばすように変形させて前記他方の係止爪が隣接のラチェット爪に係合する間隔に選定されている
ことを特徴とする電線等の留め具。
【請求項２】
電線等の細長い部材を車体等の被取付部材に取付けるため、基部と、該基部に設けられた被取付部材への取付部と、前記細長い部材の側面を巻回して保持するバンドと、前記基部に形成されて、前記バンドを巻回した状態に保つバックル部とから成り、バンドには長手方向に多数のラチェット爪が間隔をおいて形成されており、前記バックル部には、バンドの前記ラチェット爪に係合してバンドを巻回した状態に保つ係止爪が設けられている、プラスチック製の電線等の留め具において、
前記バックル部の係止爪は、前記バンドの長手方向に沿って少なくとも２つ形成されており、該少なくとも２つの係止爪は、バンドのラチェット爪の間隔より小さい間隔に配置されて一方の係止爪が１つのラチェット爪に係合すると他方の係止爪は隣接のラチェット爪との間に隙間が形成され、前記少なくとも２つの係止爪の間隔は、前記バンドに強い引抜き力が加わると、前記一方の係止爪に係合した１つのラチェット爪が当該係止爪を引っ張って当該バックル部分を延ばすように変形させて前記他方の係止爪が隣接のラチェット爪に係合する間隔に選定されている
ことを特徴とする電線等の留め具。
【請求項３】
請求項１又は２に記載の留め具において、バックル部の係止爪は、バックル部本体からバンド挿通穴内をバンド挿通方向に延びる片持ち支持アームに、第１係止爪及び第２係止爪として２つ設けられていることを特徴とする留め具。
【請求項４】
請求項３に記載の留め具において、前記片持ち支持アームの先端側の第１係止爪から更に先端側は係合解除片として形成されていることを特徴とする留め具。
【請求項５】
請求項２に記載の留め具において、前記取付部は、被取付部材の取付穴に挿通して係止する錨脚クリップであることを特徴とする留め具。
【請求項６】
請求項２に記載の留め具において、前記取付部は、被取付部材に立設されたスタッドに係止するスタッド係止手段であることを特徴とする留め具。
【発明の詳細な説明】
【０００１】
【発明の属する技術分野】
本発明は、電線やワイヤハーネス等の細長い部材を車体等の被取付部材に取付ける電線等の留め具に関する。
【０００２】
【従来の技術】
電線等の細長い部材をパネル等に取付けるため、基部と、該基部に設けられた被取付部材への取付部と、電線等の細長い部材の側面を巻回して保持するバンドと、基部に形成されて、バンドを巻回した状態に保つバックル部とから成る電線等の留め具は知られている。バンドには長手方向に多数のラチェット爪が間隔をおいて形成されており、バックル部には、バンドのラチェット爪に係合してバンドを巻回した状態に保つ係止爪が設けられ、電線等を捲回した状態でバンドの先端をバックル部に挿通して引っ張ると、そのまま巻回した状態が保たれ、電線等の留め具として便利に使用されている。
【０００３】
【発明が解決しようとする課題】
一般に車体へ電線を取付ける場合、電線を極力車体へ近づけることが要求されるので、バックル部の係止爪部分を小さく形成することが望ましい。しかしながら、係止爪部分を小さくすると、係止爪の剛性が低くなって係止爪部分が弱くなり、電線等の保持力が低下する。電線等の保持力を大きくするように、係止爪を単純に複数にすることも行ってみたが、バンド係止後の引抜きの抵抗力を十分に大きくすることはできなかった。車の組立工程においては、複雑な構造の車体に沿って取付けられる電線は、組み付け作業の際に強く引っ張られることがあり、引抜き力に十分に抵抗できる大きな電線等の保持力が求められている。
【０００４】
従って、本発明の目的は、バンドの係止爪に金属製等の高い剛性の材料を使うことなく、プラスチックの成形によって、高い保持力を発揮することができる電線等の留め具を提供することにある。
【０００５】
【課題を解決するための手段】
かかる目的を達成するため、本発明によれば、電線等の細長い部材の側面を巻回して保持するバンドと、バンドを巻回した状態に保つバックル部とを備え、バンドには長手方向に多数のラチェット爪が間隔をおいて形成されており、バックル部には、バンドのラチェット爪に係合してバンドを巻回した状態に保つ係止爪が設けられている、プラスチック製の電線等の留め具であって、バックル部の係止爪は、バンドの長手方向に沿って少なくとも２つ形成されており、該少なくとも２つの係止爪は、バンドのラチェット爪の間隔より小さい間隔に配置されて一方の係止爪が１つのラチェット爪に係合すると他方の係止爪は隣接のラチェット爪との間に隙間が形成され、前記少なくとも２つの係止爪の間隔は、前記バンドに強い引抜き力が加わると、前記一方の係止爪に係合した１つのラチェット爪が当該係止爪を引っ張って当該バックル部分を延ばすように変形させて前記他方の係止爪が隣接のラチェット爪に係合する間隔に選定されていることを特徴とする電線等の留め具が提供される。
また、本発明によれば、電線等の細長い部材を車体等の被取付部材に取付けるため、基部と、基部に設けられた被取付部材への取付部と、細長い部材の側面を巻回して保持するバンドと、基部に形成されて、バンドを巻回した状態に保つバックル部とから成り、バンドには長手方向に多数のラチェット爪が間隔をおいて形成されており、バックル部には、バンドのラチェット爪に係合してバンドを巻回した状態に保つ係止爪が設けられている、プラスチック製の電線等の留め具であって、バックル部の係止爪は、バンドの長手方向に沿って少なくとも２つ形成されており、該少なくとも２つの係止爪は、バンドのラチェット爪の間隔より小さい間隔に配置されて一方の係止爪が１つのラチェット爪に係合すると他方の係止爪は隣接のラチェット爪との間に隙間が形成され、前記少なくとも２つの係止爪の間隔は、前記バンドに強い引抜き力が加わると、前記一方の係止爪に係合した１つのラチェット爪が当該係止爪を引っ張って当該バックル部分を延ばすように変形させて前記他方の係止爪に隣接のラチェット爪が係合する間隔に選定されていることを特徴とする電線等の留め具が提供される。
【０００６】
【作用】
上記のように、バックル部の２つの係止爪の間隔すなわちピッチが、バンドのラチェット爪の間隔すなわちピッチよりも小さく設定され、バンドに引抜き力が加わったとき、１つの係止爪に係合した１つのラチェット爪が、当該係止爪を引っ張って、係止爪を設けた部分を変形させ、隣接の係止爪との間隔が広がって、隣接のラチェット爪が対応する隣接係止爪に係合し、バンドの引抜き力が２つの係止爪に分散することになる。このため、引抜き力が、１つの係止爪に集中することなく、少なくとも２つの係止爪に分散するので、バンドの引抜きの抵抗力が少なくとも２倍に増大することになる。従って、バンドの係止爪に金属製等の高い剛性の材料を使うことなく、プラスチックの成形によって、高い保持力を発揮することができる。
【０００７】
【発明の実施の形態】
以下、本発明の実施例について図面を参照しながら説明する。図１〜図２は本発明の１実施例に係る電線等の留め具１の全体を示している。留め具１は、プラスチックの一体成形品で成る。図１及び図２において、留め具１は、電線等の細長い部材を車体等の被取付部材に取付けるため、基部２と、基部２に設けられた被取付部材への取付部となる錨脚クリップ３と、細長い部材の側面を巻回して保持するバンド５と、基部２に形成されて、バンド５を巻回した状態に保つバックル部６とから成る。錨脚クリップ３には、一対の錨脚７が設けられており、車体パネル等の被取付部材の取付穴に挿入することによって留め具１が被取付部材に取付けられる。
【０００８】
各錨脚７の先端には複数段の係止部９が設けられ、基部２には吸盤形状のフランジ１０が形成されている。錨脚７の多段の係止部９は、基部２のフランジ１０と協働して、厚さの異なる車体パネルに対して、どの厚さのパネルにも適合して取付けることができる。なお、図示の実施例では、被取付部材への取付部は、錨脚クリップ３が用いられているが、これに限るものではない。例えば、他の取付部としては、車体パネルに立設されたスタッド（ねじスタッドや周溝スタッド、あるいはＴスタッド等）に係合するスタッド係止手段がある。更に、本発明の電線等の留め具には、被取付部材への取付部は必須のものではない。例えば、バンドとバックル部と（及び基部）からだけで構成され、バンドをバックル部に挿通して電線等を結束する留め具であってもよい。
【０００９】
バンド５の根元部１１は他の部分より広く且つ薄く形成されて、小径の電線等を捲回するのにバンドが撓んで小径の細長い部材に適するようになっている。また、根元部１１には長手方向にのびるリブ１３が一対設けられ、根元部１１の強度を高くするとともに、捲回して保持した電線等の細長い部材の長手方向の移動を阻止する。バンド５の根元部１１はバックル部６の一方の側に設けられ、バンド５は、そのバックル部６の部分から、種々の直径の電線等の細長い部材を捲回保持できるように一長く延びている。バンド５の一方の面（バックル部６の係止爪に係合する面）には、長手方向に多数のラチェット爪１４が一定の間隔（すなわちピッチ）をもって形成されている。バンド５の先端にはバックル部６の挿通穴にお通して指等で保持するリーダ部１５が形成されている。
【００１０】
バックル部６について、図１及び２の外に、図３も参照して説明する。図３は図１のＡ−Ａ線に沿った断面図である。バックル部６は、基部２の上にバンド挿通穴１７を形成する本体１８を有する。バンド挿通穴１７の内側には、本体１８からバンド挿通方向に斜めに延びて弾性を有する片持ち支持アーム１９が設けられている。本発明において、この片持ち支持アーム１９には、少なくとも２つの係止爪が形成されている。図示の実施例においては、片持ち支持アーム１９に、その先端側から第１の係止爪２１と第２の係止爪２２とが設けられている。これら係止爪２１、２２は、弾性を有する片持ち支持アーム１９に設けられ、また、形状は通常のように逆止形状に形成されているので、バンド５に形成されたラチェット爪１４に弾性係合し、挿通は容易であるが引抜きには抵抗する。片持ち支持アーム１９の先端は、第１係止爪２１より先端方向に延びている。この延長部分は、係合解除片２３として形成されており、この係合解除片２３を例えばねじ回しの先端持ち上げると、係止爪とラチェット爪との係合を解除できる。この係合解除片２３を更に延長させれば、指等でも係合の解除操作を行える。
【００１１】
片持ち支持アーム１９に設けられた第１係止爪２１及び第２係止爪２２の間隔すなわちピッチは、バンド５のラチェット爪１４の間隔すなわちピッチよりも小さく形成されている。実験では、ラチェット爪１４のピッチが 1.3 mm である場合に、第１係止爪２１と第２係止爪２２のピッチは、 1.2 mm とした。また、バックル部６の係止爪の数は、２つ以上であれば、３つあるいは４つであってもよい。その場合にも、各係止爪間の間隔すなわちピッチは、ラチェット爪１４のピッチより小さくなるように形成されている。これら係止爪の間隔は、バンド５に強い引抜き力が加わったとき、一つの係止爪に係合した１つのラチェット爪が、当該係止爪を引っ張って片持ち支持アーム部分を延ばすように変形させて隣接の係止爪との間隔が広がって、もう１つのラチェット爪が対応する隣接係止爪に係合するようになる間隔に選定される。これによって、バンド５の引抜き力は、少なくとも２つの係止爪に分散され、各係止爪への負担が小さくなる。
【００１２】
図４〜図８を参照して、バンド５のラチェット爪１４とバックル部６の係止爪２１、２２との関係を説明する。図４において、バンド５のリーダ部１５がバックル部６のバンド挿通穴１７に通されて、図５のように、第２係止爪２２が対応するラチェット爪１４ａに係合する。既述のように、第２係止爪２２と第１係止爪２１との間隔はラチェット爪１４のピッチより小さいので、第１係止爪２１は隣接のラチェット爪１４ｂより隙間２５をもって離れている。図６は、第１係止爪２６と第２係止爪２７の間隔が、ラチェット爪１４のピッチに同じに形成された例を示している。この図６の場合には、第２係止爪２７は対応するラチェット爪１４ａに係合するとともに、第１係止爪２６は対応の隣接ラチェット爪１４ｂにも係合する。
【００１３】
図７において、図５に示す本発明の実施例に係る第１係止爪２１及び第２係止爪２２が、バンド５のラチェット爪１４ａ及び隣接のラチェット１４ｂに作用する様子が示されている。いま、バンド５に矢印２９に示す方向の引抜き力が加わると、ラチェット爪１４ａが第２係止爪２２の対向面に強く当接して第２係止爪２２に応力が加わる。この第２係止爪２２への応力によって、片持ち支持アーム１９の部分に、矢印３０の方向に変形する力が作用して、第２係止爪２２を矢印３０の方向に持ち上げる。この変形によって、第２係止爪２２と第１係止爪２１の間の間隔が広がり、第１係止爪２１の面が傾斜して隣接ラチェット爪１４ｂに接近しそして当接する。この当接によって、バンド５の引抜き力が、第１係止爪２１にも加わることになる。これによって、バンド５の引抜き力は、第２係止爪２２だけでなく、第１係止爪２１にも加わって、引抜き力が、１つの係止爪に集中することなく、少なくとも２つの係止爪に分散する。これによって、バンドの引抜きの抵抗力が少なくとも２倍に増大することになる。ラチェット爪１４のピッチより小さいピッチで係止爪の数を増やせば、更に、引抜き抵抗力を増大することができる。
【００１４】
これに対して、図６に示すように、第１係止爪２６と第２係止爪２７のピッチをラチェット爪１４ａとラチェット爪１４ｂのピッチと同じにした場合、次のような不具合が見られた。バンドに引抜き力が加わると、第２係止爪２７と第１係止爪２６とが同時にラチェット爪１４ａとラチェット爪１４ｂとに係合し、応力が両係止爪に加わる。ところで、既述のように、第２係止爪２７に加わった応力は片持ち支持アーム１９を変形させるように作用するので、第１係止爪２６も変形して傾き、ラチェット爪１４ｂとの係合が外れてしまうことが分かった。別の場合には、第２係止爪２７は、ラチェット爪１４ａに変形当たりし、第１係止爪２６の変形量が増大して、ラチェット爪１４ｂに応力が集中することになり、このラチェット爪１４ｂと第１係止爪２６との係合が解除された。更に別の場合、第１係止爪２６と第２係止爪２７の間の片持ち支持アーム１９の部分の強度が、根元部分の強度より低く、そのアーム部分の変形量が大きく、第１係止爪２６がラチェット爪１４ｂから外れることがわかった。
【００１５】
【発明の効果】
本発明の留め具によれば、バックル部に少なくとも２つの係止爪が設けられ、それらの係止爪の間隔すなわちピッチが、バンドのラチェット爪の間隔すなわちピッチよりも小さく設定され、バンドに引抜き力が加わったとき、１つの係止爪に係合した１つのラチェット爪が、当該係止爪を引っ張って、係止爪を設けた部分を変形させ、隣接の係止爪との間隔が広がって、隣接のラチェット爪が対応する隣接係止爪に係合し、バンドの引抜き力が２つの係止爪に分散することになる。このため、引抜き力が、１つの係止爪に集中することなく、少なくとも２つの係止爪に分散するので、バンドの引抜きの抵抗力が少なくとも２倍に増大し、バンドの係止爪に金属製等の高い剛性の材料を使うことなく、プラスチックの成形によって、高い保持力を発揮することができる。
【図面の簡単な説明】
【図１】本発明の実施例に係る電線等の留め具の正面図である。
【図２】図１の留め具の右側面図である。
【図３】図１の留め具のＡ−Ａ線断面図である。
【図４】本発明の留め具のバンドをバックル部に挿通する前の説明図である。
【図５】図４に示す本発明の留め具のバンドをバックル部に挿通して保持した状態を示す図である。
【図６】係止爪のピッチをラチェット爪のピッチに同じにした留め具のバンドをバックル部に挿通して保持した状態を示す図である。
【図７】本発明の留め具の保持状態において、バンドに引抜き力が加わった場合の説明図である。
【符号の説明】
１  電線等の留め具
２  基部
３  錨脚クリップ
５  バンド
６  バックル部
７  錨脚
９  係止部
１０  フランジ
１１  バンドの根元部
１３  リブ
１４、１４ａ、１４ｂ  ラチェット爪
１７  バンド挿通穴
１８  バックル部の本体
１９  片持ち支持アーム
２１  第１係止爪
２２  第２係止爪
２３  係合解除片
２５  隙間
２６  第１係止爪
２７  第２係止爪
【図１】
0004152520.tif 000002
【図２】
0004152520.tif 000003
【図３】
0004152520.tif 000004
【図４】
0004152520.tif 000005
【図５】
0004152520.tif 000006
【図６】
0004152520.tif 000007
【図７】
0004152520.tif 000008